(57)【要約】【課題】棚位置の変更が容易であると共に、構造を簡素化したカップリング部材を提供する。【解決手段】カップリング部材１は、支柱２にテーパスリーブ３を介して嵌合され、棚部材４を支持する。カップリング部材１は、内周面が下方に向かうにつれて漸次拡径する半円筒状の第１部材１０及び第２部材１１を有する。第１部材１０は、周方向の両端部に上向き爪１０ｂを有する。第２部材１１は、周方向の両端部に下向き爪１１ｂを有する。第１部材１０及び第２部材１１は、上向き爪１０ｂ及び下向き爪１０ｂを嵌めた状態において支柱２を両側から抱き込む円筒状となる。上向き爪１０ｂと下向き爪１１ｂとの嵌合によって、第１部材１０及び第２部材１１は軸方向以外の方向に沿って離れることが規制されている。【選択図】図１
0003204400.tif 000002
【実用新案登録請求の範囲】
【請求項１】
支柱にテーパスリーブを介して嵌合され、棚部材を支持するカップリング部材であって、
内周面が下方に向かうにつれて漸次拡径する半円筒状の第１部材及び第２部材を備え、
前記第１部材は、周方向の両端部に上向き爪を有し、
前記第２部材は、周方向の両端部に下向き爪を有し、
前記第１部材及び前記第２部材は、上向き爪及び下向き爪を嵌めた状態において前記支柱を両側から抱き込む円筒状となり、
前記上向き爪と前記下向き爪との嵌合によって、前記第１部材及び前記第２部材は軸方向以外の方向に沿って離れることが規制されている、カップリング部材。
【請求項２】
前記第１部材及び前記第２部材は、軸に沿って見た場合に、周方向長さが１８０度よりも大きく形成されている、請求項１に記載のカップリング部材。
【請求項３】
支柱と、
前記支柱に取り付けられるテーパスリーブと、
前記テーパスリーブを介して前記支柱に取り付けられる請求項１又は２に記載のカップリング部材と、
前記カップリング部材に支持される棚部材と、
を備える組立棚。
【請求項４】
前記テーパスリーブの外周面には、前記カップリング部材を支持するための環状突起が形成されている、請求項３に記載の組立棚。
【請求項５】
前記棚部材は、前記第２部材に固定される請求項３又は４に記載の組立棚。
【請求項６】
前記カップリング部材と前記棚部材は、金属製であり且つ溶接で固定された状態である、請求項３〜５のいずれかに記載の組立棚。
【考案の詳細な説明】
【技術分野】
【０００１】
本考案は、解体と組み付けが容易な組立棚及びそれに用いるカップリング部材に関する。
【背景技術】
【０００２】
特許文献１には、外周面に環状溝を有する支柱と、前記溝に嵌る突状を内周面に有し且つ外周面が下方に向かうにつれて漸次拡径しているテーパスリーブと、内径が下方に向かうにつれて漸次拡径したリングと、リングが隅部に固定された棚部材と、を有し、支柱に取り付けられた状態のテーパスリーブにリングを嵌めることで、支柱の所望の位置に棚部材を着脱自在に取り付けられる組立棚が開示されている。
【先行技術文献】
【特許文献】
【０００３】
【特許文献１】登録実用新案第３０５７９９０号公報
【特許文献２】特開２０１１−２２９８２１号公報
【考案の概要】
【考案が解決しようとする課題】
【０００４】
しかしながら、従来の組立棚は、上下複数段を有する組立棚における中間に棚を追加した場合、その上方にある全ての棚を一旦取り外さなければならず、手間である。
【０００５】
この問題に善処するために、特許文献２に記載のカップリング部材が提案されている。しかし、このカップリングは形状が複雑で且つスリーブも改良が必要となる。
【０００６】
本考案は、このような課題に着目してなされたものであって、棚位置の変更が容易であると共に、構造を簡素化したカップリング部材及びそれを備えた組立棚を提供することである。
【課題を解決するための手段】
【０００７】
本考案は、かかる目的を達成するために、次のような手段を講じたものである。
【０００８】
すなわち、本考案のカップリング部材は、
支柱にテーパスリーブを介して嵌合され、棚部材を支持するカップリング部材であって、
内周面が下方に向かうにつれて漸次拡径する半円筒状の第１部材及び第２部材を備え、
前記第１部材は、周方向の両端部に上向き爪を有し、
前記第２部材は、周方向の両端部に下向き爪を有し、
前記第１部材及び前記第２部材は、上向き爪及び下向き爪を嵌めた状態において前記支柱を両側から抱き込む円筒状となり、
前記上向き爪と前記下向き爪との嵌合によって、前記第１部材及び前記第２部材は軸方向以外の方向に沿って離れることが規制されている。
【０００９】
この構成によれば、上向き爪と下向き爪との嵌合によって、第１部材及び第２部材は軸方向以外の方向に沿って離れることが規制されているので、棚部材４を適切に固定できる。それでいて、両爪は軸方向に沿って離れることができるので、中間棚の追加及び削除の作業を他の棚の位置を変更することなく実施でき、作業効率を向上させることが可能となる。
【図面の簡単な説明】
【００１０】
【図１】本考案の一実施形態に係るカップリング部材及びそれを備えた組立棚を示す斜視図。
【図２】支柱及びテーパスリーブを示す斜視図。
【図３】支柱にテーパスリーブを介してカップリング部材を取り付ける様子を示す斜視図。
【図４】カップリング部材を示す底面図及び断面図。
【考案を実施するための形態】
【００１１】
以下、本考案の一実施形態のカップリング部材及びそれを備えた組立棚を、図面を参照して説明する。
【００１２】
図１に示すように、カップリング部材１は、支柱２にテーパスリーブ３を介して嵌合され、棚部材４を支持する。カップリング部材１は、第１部材１０及び第２部材１１を有する。第１部材１０及び第２部材１１は、図４に示すように、内周面１０ａ、１１ａが下方に向かうにつれて漸次拡径する半円筒状をなしている。
【００１３】
図１及び図３に示すように、第１部材１０は、周方向の両端部に上向き爪１０ｂを有する。第２部材１１は、周方向の両端部に下向き爪１１ｂを有する。第１部材１０及び第２部材１１は、上向き爪１０ｂ及び下向き爪１１ｂを嵌めた状態において支柱２を両側から抱き込む円筒状になる。爪１０ｂ、１１ｂが軸に沿った上向き及び下向きであるため、上向き爪１０ｂと下向き爪１１ｂとの嵌合によって、第１部材１０及び第２部材１１は軸方向以外の方向に沿って離れることが規制される。逆に、軸方向に沿った移動は許容される。
【００１４】
図２に示すように、支柱２は、金属製で、外周面に環状溝２ａを有する。環状溝２ａは、長手方向に沿って間隔を空けて複数設けられている。環状溝２ａが複数設けられていることで、固定高さを所望の高さに選択できる。テーパスリーブ３は、樹脂製で円筒形状を２つに分割した半円筒形状をなしている。内周面には、環状溝２ａに嵌る突状（図示せず）が形成されている。外周面は、下方に向かうにつれて漸次拡径している。テーパスリーブ３の外周面及びカップリング部材１の内周面が拡径していることによって、荷重によりくさび効果が発生し、棚部材４の固定を堅固にできる。
【００１５】
図２及び図３に示すように、テーパスリーブ３の外周面には、カップリング部材１を支持するための環状突起３ａが形成されている。これにより、荷重が作用して第１部材１０及び第２部材１１が軸方向に沿って下方に移動しようとしても、その移動が阻止され、第１部材１０及び第２部材１１が外れることを防止できる。
【００１６】
図４に示すように、第１部材１０及び第２部材１１は、軸Ｃに沿って見た場合に、周方向長さが１８０度よりも大きく形成されている。すなわち、軸Ｃと周方向両端とを仮想直線で結んだ場合に、仮想直線間の角度αが１８０度よりも大きい。この構成によれば、第１部材１０及び第２部材１１は単独で、軸方向に直交する径方向に沿って支柱２から抜けず、必ず軸方向に沿って動かさなければ支柱２から抜けない。したがって、支持が堅固となる。
【００１７】
図１及び図３に示すように、棚部材４は、下向き爪１１ｂを有する第２部材１１に固定されている。これにより棚部材４に作用する荷重が第２部材１１に伝わり、下向き爪１１ｂが第１部材１０を下方（上向き爪１０ｂと嵌り合う方向）に押すため、両爪１０ｂ、１１ｂがより嵌り合い、固定が堅固となる。勿論、棚部材４を第１部材１０に固定してもよい。
【００１８】
カップリング部材１と棚部材４は、両者が金属製であり且つ溶接で固定された状態である。これによれば、強度を向上させ且つ部品点数を削減できる。勿論、カップリング部材１と棚部材４との固定をネジなどで固定してもよい。
【００１９】
組立手順は、図２に示すように、まず支柱２の所望位置にある環状溝２ａに対してテーパスリーブ３の内周面突状を嵌め込み、対をなすテーパスリーブ３で支柱２を挟み込む。
【００２０】
次に、図３に示すように、第１部材１０をテーパスリーブ３の外側から嵌め込み、次に第２部材１１を上方から下方に向けてスライドさせて、上向き爪１０ｂ及び下向き爪１１ｂを嵌合させて、カップリング部材１を一体化し、棚部材４を固定する。上向き爪１０ｂ及び下向き爪１１ｂの嵌合によって第１部材１０及び第２部材１１は分離せず、堅固に固定される。
【００２１】
以上のように、本実施形態のカップリング部材１は、
支柱２にテーパスリーブ３を介して嵌合され、棚部材４を支持するカップリング部材１であって、
内周面が下方に向かうにつれて漸次拡径する半円筒状の第１部材１０及び第２部材１１を備え、
第１部材１０は、周方向の両端部に上向き爪１０ｂを有し、
第２部材１１は、周方向の両端部に下向き爪１１ｂを有し、
第１部材１０及び第２部材１１は、上向き爪１０ｂ及び下向き爪１１ｂを嵌めた状態において支柱２を両側から抱き込む円筒状となり、
上向き爪１０ｂと下向き爪１１ｂとの嵌合によって、第１部材１０及び第２部材１１は軸方向以外の方向に沿って離れることが規制されている。
【００２２】
この構成によれば、上向き爪１０ｂと下向き爪１１ｂとの嵌合によって、第１部材１０及び第２部材１１は軸方向以外の方向に沿って離れることが規制されているので、棚部材４を適切に固定できる。それでいて、両爪１０ｂ、１１ｂは軸方向に沿って離れることができるので、中間棚の追加及び削除の作業を他の棚の位置を変更することなく実施でき、作業効率を向上させることが可能となる。
【００２３】
本実施形態では、第１部材１０及び第２部材１１は、軸に沿って見た場合に、周方向長さが１８０度よりも大きく形成されている。この構成によれば、カップリング部材１を構成する両部材１０、１１の周方向長さが１８０度よりも大きいので、両部材１０、１１は、径方向に沿って支柱から抜けず、支持が堅固となる。
【００２４】
上記カップリング部材１の好適な適用例としては、支柱２と、支柱２に取り付けられるテーパスリーブ３と、テーパスリーブ３を介して支柱２に取り付けられる上記のカップリング部材１と、カップリング部材１に支持される棚部材４と、を有する組立棚が挙げられる。
【００２５】
本実施形態の組立棚において、テーパスリーブ３の外周面には、カップリング部材１を支持するための環状突起３ａが形成されている。この構成によれば、カップリング部材１が環状突起３ａに支持されるため、カップリング部材１とテーパスリーブ３とのくさび効果を高めることができる。
【００２６】
本実施形態の組立棚において、棚部材４は、第２部材１１に固定される。この構成によれば、下向き爪１１ｂを有する第２部材１１に棚部材４の荷重が作用するので、使用時に抜けにくくすることができる。
【００２７】
本実施形態の組立棚において、カップリング部材１と棚部材４は、金属製であり且つ溶接で固定された状態である。この構成によれば、強度を向上させ且つ部品点数を削減できる。
【００２８】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００２９】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００３０】
１…カップリング部材
１０…第１部材
１０ｂ…上向き爪
１１…第２部材
１１ｂ…下向き爪
２…支柱
３…テーパスリーブ
３ａ…環状突起
４…棚部材
【図１】
0003204400.tif 000003
【図２】
0003204400.tif 000004
【図３】
0003204400.tif 000005
【図４】
0003204400.tif 000006